(57)【特許請求の範囲】
【請求項１】
LAN回線と、該LAN回線に接続するためのI/Fと、前記LAN回線上に設置された認証サーバと、前記認証サーバを用いて利用者の認証を行い、前記利用者のパスワード情報に基づいて有効期限を前記利用者に通知するとともに、同一の利用者管理情報を保持しているサーバ及び、前記LAN回線に接続されたクライアントPC上で動作するプログラムとの通信を行う機能を有する周辺機器と、を備えたパスワード有効期限通知システムであって、
前記周辺機器は、
前記利用者の認証に係る設定がICカードで行われる場合、当該周辺機器が起動された後、認証要求画面を表示し、前記ICカード及び当該周辺機器から認証情報を取得し、取得した前記認証情報に含まれる有効期限のうち、前記ICカードまたは当該周辺機器のどちらの有効期限が現在の日時に近いかの判定を行い、
前記ICカードまたは当該周辺機器から取得した有効期限が期限切れ間近であるか否かの判定を行い、有効期限切れが間近である場合は、前記利用者に対してパスワードの変更を促す通知を行うことを特徴とするパスワード有効期限通知システム。
【請求項２】
前記ICカードから取得した有効期限が期限切れ間近であるか否かを判定し、有効期限が間近であると判定した場合には、前記利用者に前記ICカードと前記周辺機器のパスワードの変更を促す通知を行い、有効期限が間近でないと判定した場合には、認証要求画面表示を行い、
前記周辺機器からの取得した有効期間が期限切れ間近であるか否かの判定を行い、期限切れ間近であると判定した場合には、前記利用者に前記ICカードと前記周辺機器のパスワードの変更を促す通知を行い、期限切れ間近でないと判定した場合には、認証要求画面表示を行うことを特徴とする請求項１記載のパスワード有効期限通知システム。
【請求項３】
操作部上に前記利用者への通知及び入力を促す表示を行うことを特徴とする請求項１または２記載のパスワード有効期限通知システム。
【請求項４】
取得した利用者毎の前記ICカードが保持するパスワードの有効期限情報と現在の日時との照合を行うことを特徴とする請求項１から３のいずれか１項記載のパスワード有効期限通知システム。
【請求項５】
取得した利用者毎の前記ICカードが保持するパスワードの有効期限情報と現在の日時とがある一定日時以内であれば通知することを特徴とする請求項１から４のいずれか１項記載のパスワード有効期限通知システム。
【発明の詳細な説明】
【技術分野】
【０００１】
本発明は、ICカードによる個人認証機能を有する画像形成装置等の周辺機器のパスワード有効期限通知システムに関し、特にICカード認証方式を用いたパスワード有効期限通知システムパスワード有効期限通知システム関する。
【背景技術】
【０００２】
近年、ICカードが普及し、社員証や学生証など個人を特定するIDカードをICカードにて導入する事例が多くなってきた。このICカードを利用した周辺機器の利用者制限機能などがPC（パーソナルコンピュータ）で実現されてきているが、PCだけではなくコピーやファクシミリ機能を複数実装したオフィス機器の使用についてもセキュリティを考慮し、利用者の個人認証を、ICカードを用いて行うことが提案されている（例えば、特許文献１参照。）。
【特許文献１】特開２００７−１６８１８７号公報
【発明の開示】
【発明が解決しようとする課題】
【０００３】
ところで、ICカードは制御方式自体様々なものが存在するがその多くは、ICカード内の記憶領域に個人を識別するための認証情報を記録しておき、その認証情報を読み出すことにより周辺機器が認証を行う。この認証情報の記憶領域は、データアクセスの際には、ICカードと周辺機器との間で相互認証を行うなどする機能を実装されている場合もある。認証情報にはユーザ毎のIDとパスワードとを保持しており、パスワードの有効期限の情報も同時に周辺機器が取得することができる。
【０００４】
また、認証情報を読み出して周辺機器が認証を行うが、周辺機器にもユーザ毎のIDとパスワードとを保持しており、パスワードの有効期限情報を保持している。このパスワードの有効期限情報から、有効期限に近くなるとユーザに対して通知することにより、ユーザに対してパスワード変更を促す必要があるが、そのためにはICカード内のパスワードの有効期限情報と周辺機器のパスワードの有効期限情報とを、ユーザに対して通知を行う周辺機器に事前に登録して管理しておく必要があるため導入する際の障害となっていた。
【０００５】
そこで、これに替わって、ICカード内のパスワードの有効期限情報や機器のパスワードの有効期限情報を取得することで、ユーザに対して通知を行の機器に事前に登録して管理することなく、パスワードの有効期限に近くなるとユーザに対して通知することが求められている。
【０００６】
ここで、ICカードはその制御方式によって認証情報にユーザ毎のIDとパスワードとを保持しており、それらの情報を認証情報とした運用を実施した場合、ICカード内のパスワードの有効期限が切れてしまうことにより周辺機器の認証ができず利用できなくなってしまうことがある。さらに周辺機器又は周辺機器と連携している認証機器に保持しているパスワード情報の有効期限が切れてしまうことにより同様に機器の認証ができず利用できなくなってしまう。パスワードの有効期限が切れてしまうことを事前にユーザ毎に通知することなく、有効期限に達してしまうことによりICカードで周辺機器の認証ができなくなってしまい、パスワードの変更が完了するまでの間は周辺機器の認証ができず、周辺機器を使用できなくなってしまうおそれがある。
【０００７】
そこで、本発明の目的は、ユーザのICカード認証を行った際にパスワードの有効期限切れによる周辺機器の認証が出来なくなるのを防止したパスワード有効期限通知システムを提供することにある。
【課題を解決するための手段】
【０００８】
上記課題を解決するために、本発明の請求項１記載の発明は、LAN回線と、該LAN回線に接続するためのI/Fと、前記LAN回線上に設置された認証サーバと、前記認証サーバを用いて利用者の認証を行い、前記利用者のパスワード情報に基づいて有効期限を前記利用者に通知するとともに、同一の利用者管理情報を保持しているサーバ及び、前記LAN回線に接続されたクライアントPC上で動作するプログラムとの通信を行う機能を有する周辺機器と、を備えたパスワード有効期限通知システムであって、前記周辺機器は、前記利用者の認証に係る設定がICカードで行われる場合、当該周辺機器が起動された後、認証要求画面を表示し、前記ICカード及び当該周辺機器から認証情報を取得し、取得した前記認証情報に含まれる有効期限のうち、前記ICカードまたは当該周辺機器のどちらの有効期限が現在の日時に近いかの判定を行い、前記ICカードまたは当該周辺機器から取得した有効期限が期限切れ間近であるか否かの判定を行い、有効期限切れが間近である場合は、前記利用者に対してパスワードの変更を促す通知を行うことを特徴とする。
【００１６】
すなわち、本発明は、ユーザのICカード認証を行った際にパスワードの有効期限切れによる機器の認証が出来なくなる前に、パスワードの有効期限が近くなっていることをユーザ毎に通知する手段を実施するようにしたことを特徴とする。また、本発明は、ユーザ毎のICカード内のパスワード有効期限と機器または機器と連携している認証機器に保持しているユーザ毎のパスワード情報の有効期限が現在の日時と近い場合に、ユーザ毎に有効期限に近いことを通知することを設定するようにしたことを特徴とする。
【発明の効果】
【００１７】
本発明によれば、ユーザのパスワード情報に基づいて有効期限をユーザに通知することにより、ユーザがパスワードの有効期限が近づいていることを把握することができるので、ユーザのICカード認証を行った際にパスワードの有効期限切れによる周辺機器の認証が出来なくなるのを防止することができる。
【発明を実施するための最良の形態】
【００１８】
本発明に係る周辺機器の一実施の形態は、LAN回線と、LAN回線に接続するためのI/Fと、LAN回線上に設置され認証サーバと、認証サーバを用いて利用者の認証を行う機能を有する周辺機器とを備え、周辺機器はユーザのパスワード情報に基づいて有効期限を該ユーザに通知することを特徴とする。
【００１９】
上記構成によれば、ICカードからの認証情報の取得を行いユーザ毎のパスワード有効期限切れの通知を行うことで、ICカードによる認証機能を有する複合機に代表される周辺機器を利用する際に、パスワード有効期限切れによる周辺機器の使用できない状態を事前に回避することができ、円滑な機器運用を可能とする。
【００２０】
本発明に係る周辺機器の他の実施の形態は、上記構成に加え、LAN回線に接続されたクライアントPC上で動作するプログラムとの通信を行うことを特徴とする。
【００２１】
上記構成によれば、クライアントPC上で動作するプログラムから周辺機器を利用する際にも、同様にパスワード有効期限切れの通知を行うことで、周辺機器へのアクセスができない状態を事前に回避することで円滑な機器運用を可能とする。
【００２２】
本発明に係る周辺機器の他の実施の形態は、上記構成に加え、ユーザ管理情報を保持している周辺機器が同一のユーザ管理情報を保持しているサーバと通信を行うことを特徴とする。
【００２３】
上記構成によれば、ICカードカードを保持するユーザIDに対してのユーザ認証を行う為のパスワードを保持する周辺機器および周辺機器が通信を行うサーバが保持するパスワードの有効期限情報のみを周辺機器が通信を行うのでパスワードデータが通信路を流れることなくパスワード情報の漏洩がない。
【００２４】
本発明に係る周辺機器の他の実施の形態は、上記構成に加え、ICカードカードを保持するユーザIDに対してのユーザ認証を行う為のパスワードを保持する周辺機器および周辺機器が通信を行うサーバが保持するパスワードの有効期限情報のみを周辺機器が通信を行うことを特徴とする。
【００２５】
上記構成によれば、ICカードカードを保持するユーザIDに対してのユーザ認証を行う為のパスワードを保持する周辺機器および周辺機器が通信を行うサーバが保持するパスワードの有効期限情報のみを周辺機器が通信を行うのでパスワードデータが通信路を流れることなくパスワード情報の漏洩がない。  
【００２６】
本発明に係る周辺機器の他の実施の形態は、上記構成に加え、周辺機器が保持しているユーザ情報及びユーザ管理情報を保持しているサーバは、ユーザ毎のパスワード情報有効期限情報を保持していることを特徴とする。
【００２７】
上記構成によれば、ICカードカードを保持するユーザIDに対してのユーザ認証を行う為のパスワードを保持する周辺機器および周辺機器が通信を行うサーバが保持するパスワードの有効期限情報のみを周辺機器が通信を行うのでパスワードデータが通信路を流れることなくパスワード情報の漏洩がない。  
【００２８】
本発明に係る周辺機器の他の実施の形態は、上記構成に加え、周辺機器に接続されたICカードから取得した情報を基に、ICカードが保持するパスワードの有効期限情報を取得することを特徴とする。
【００２９】
上記構成によれば、ICカードから取得したパスワード有効期限情報を含んだユーザ情報を周辺機器が保持して、パスワード有効期限情報を周辺機器が判断するため、ユーザ認証を行う為のサーバに対して通信を行わない場合にも運用を可能とする。
【００３０】
本発明に係る周辺機器の他の実施の形態は、上記構成に加え、周辺機器に接続されたICカードから取得した情報を基に、ユーザ管理情報を保持する周辺機器が保持するパスワードの有効期限情報を取得することを特徴とする。
【００３１】
上記構成によれば、ICカードと通信を行う周辺機器が取得したユーザ毎のパスワード有効期限情報を周辺機器が保持している時刻情報とを照合することにより、有効期限を照合するための機器を運用する必要もなく、周辺機器が有効期限に対する問い合わせを別機器に対して行う必要がなくなる。
【００３２】
本発明に係る周辺機器の他の実施の形態は、上記構成に加え、取得したユーザ毎のICカードが保持するパスワードの有効期限情報と現在の日時との照合を行うことを特徴とする。
【００３３】
上記構成によれば、ICカードから取得したユーザ情報及びパスワード有効期限情報を保持する周辺機器がパスワード有効期限に近いユーザに対して通知を行うことにより、ユーザ情報及びパスワード有効期限情報を保持するサーバがユーザ毎にパスワード有効期限であることを通知する必要がなく、また通知のためのサーバを運用する必要がなくなる。
【００３４】
なお、上述した実施の形態は、本発明の好適な実施の形態の一例を示すものであり、本発明はそれに限定されることなく、その要旨を逸脱しない範囲内において、種々変形実施が可能である。
【実施例１】
【００３５】
本発明の実施例を、図を用いて説明する。
図１は本発明のパスワード有効期限通知システムの一実施例にかかる画像形成装置のネットワークシステム構成図である。
画像形成装置100、外部認証サーバ103、及びクライアントPC104がネットワーク（インターネット網、LAN回線）108及び図示しないI/Fを介して通信が可能である。ここで、周辺機器は、画像形成装置100、及びクライアントPC104を指す。画像形成装置100にはICカード101とインターフェースを取ることが可能なICカードリーダライタ装置(以下ICカードR/W)101が接続されている。図示しないユーザは、図示しないシステム管理者から事前に発行された自分の個人認証情報が記録されているICカード102を所持し、画像形成装置100の操作開始時にICカード102（この場合、非接触式のICカード）をICカードR/W101にかざすかICカード102（この場合、接触式のICカード）を挿入することにより、認証処理が行われ、認証が成功した場合、画像形成装置100の使用を開始することが出来る。
【００３６】
ICカード102には、記憶領域毎にアクセスするための鍵が設定されており、リード/ライトする際、この鍵を用いた認証を行うようになっている。この認証により、ICカード102内のデータの機密性が保たれる。ユーザID,パスワードは別のエリアに格納されており、アクセスするためには個別のアクセスキーを使って認証をする必要がある。これら個人認証情報のほか、ICカード102に一意に割り振られた製造番号などの情報を保持しており、読み出しについては特別なアクセス方法が不要であり容易に可能である。ICカード102は、一般に接触式、非接触式の2種類が存在するがどちらのタイプでもよい。
【００３７】
図２は画像形成装置のハードウェア構成の一例を示すブロック図である。
ICカード33のアクセスには、CPU24はNB(North Bridge)25、PCI BUS、USBホスト30を介して、USBケーブルにてICカードR/W装置32と接続されており、ICカードR/W装置32に対してコマンドを送信することにより制御を行い、ICカードR/W装置がICカード33と通信を行うことにより実現される。このUSBの通信系路にはユーザの認証情報や認証情報へアクセスするための鍵情報などのデータが送受信される。このためUSBバスがモニターされることによる情報の漏洩が懸念される。このため、USB上のコマンド及びデータの送受信を暗号化（例えば、SSL化）している。暗号化を行う前にはICカードR/W装置32との間で認証を行い、その結果から得られた共通な鍵を生成している。共通鍵を利用し暗号/復号することでUSBバス上をセキュアにしている。
【００３８】
ここで、CPU24はNB25を介してRAM21及びASIC26に接続されており、ASIC26はRAM22に接続されている。NB25はPCI BUSを介してシリアルバス27、NIC28、USB29、USBホスト30、メモリカードI/F31に接続されてコントローラ20を構成している。
【００３９】
コントローラ20は操作部（オペレーションパネル）34、G3規格に対応させるG3ユニット36及びG4規格に対応させるG4ユニット37を有するファックス制御ユニット35に接続され、プロッタ38、スキャナ35、及びその他のハードウェアリソース40を有する。
【００４０】
図３は本発明のパスワード有効期限通知システムの一実施例にかかる画像形成装置のソフトウェア構成図の一例である。
画像形成装置100には、コピーアプリケーション130、ファックスアプリケーション131、プリンタアプリケーション132、Webアプリケーション133等のアプリケーションが動作可能であり、これらのアプリケーション130〜133を利用するための個人認証を認証制御サービス140にて実施している。認証が成功して初めてこれらのアプリケーション130〜133が利用可能となる。また登録されているユーザごとに利用可能なアプリケーション130〜133の選択が可能であり、個人認証することによりユーザ毎に機能制限を行うことも出来る。
【００４１】
ここで、画像形成装置100は、前述したアプリケーション130〜133の他、システム制御サービス134、ファクス制御サービス135、エンジン制御サービス136、メモリ制御サービス137、操作制御部サービス138、ネットワーク制御サービス139、OS141、エンジンI/F、エンジン制御ボード142、プロッタエンジン、スキャナエンジン、及びその他ハードウェアリソース145を有する。
【００４２】
図４は認証サービスモジュールに着目したソフトウェアモジュール構成図の一例である。
認証サービス1はアプリケーション12から認証要求を受付け、描画処理モジュール10、グラフィックドライバ11を経由してオペレーションパネル34（図２参照。）へ表示処理を行い、ICカードリソースマネージャ2より、ICカードから認証情報を取得し、取得した認証情報をアドレス帳DB7に対して問い合わせもしくは外部認証サーバに対してネットワークライブラリ5を利用し問い合わせを行う。問い合わせた結果、認証が成功もしくは失敗したかをアプリケーション12へ出力する。
【００４３】
ここで、ICカードリソースマネージャ2はリソース管理を提供し、優先順位に基づいて複数のアプリケーション間でのプロセッサリソースやメモリリソースの割り当てを可能にする。
ICカードR/Wデバイスドライバ3は、接続されたICカードR/Wを初期化したり、設定を行ったりする。USBHOSTデバイスドライバ4は接続されたデバイスが自分が対象とするものか否かを判断する。ファイルシステム8はセキュリティや信頼性確保などの機能を有する。HDDドライバ9は図示しないHDDを駆動する。
【００４４】
図５は画像形成装置の画面表示部及び操作部（オペレーションパネル）の一例であり、ICカードによる個人認証機能を有効にすることによりこの画面が表示される。
すなわち、「認証カードをセットしてください。またはログインユーザ名とログインパスワードを入力し［ログイン］キーを押してください」と表示される。図中ログインユーザ名の欄にユーザ名を入力し、ログインパスワードの欄にパスワードを入力し、「ログイン」を押すと、ログイン処理が開始される。尚、途中でキャンセルしたい場合には「キャンセル」を押せばよい。
【００４５】
図８はICカードからの認証のみ有効な設定時の認証要求画面の表示例である。
ICカードでの認証を要求することによりこの画面が表示される。利用者は管理者より配布された社員証や学生証などを画像形成装置に接続されたICカードリーダデバイスへセットすることにより、認証動作が行われる。ICカードから読み出された個人認証情報と予め画像形成装置に登録されている認証情報が合致した場合、もしくは外部認証サーバへ問い合わせを行い認証が成功した場合、機器の利用が許可され機能が有効となる。
【００４６】
図６は認証完了後のコピーアプリケーションの画面表示の一例である。
同図において、上側のタスクバー内に「コピーできます。」、原稿枚数「０」、セット枚数「１」、コピー枚数「０」が表示される。タスクバーの下側には用紙のサイズを決定するための「自動用紙選択」＞、「Ａ４」、「Ｂ４」、「Ａ３」及び「手差し」が横一列に表示され、これらのサイズキーの下側に「等倍」、「用紙指定変倍」、「Ａ３→Ａ４、Ｂ４→Ｂ５」、「Ｂ４→Ａ４、Ｂ５→Ａ５」、「１００％」が横一列に表示されている。
【００４７】
認証が失敗した場合、図７に示すように認証失敗の表示（「認証に失敗しました。」）を行う。
画面右下の「確認」を押すと表示が切り替わる。
図７は認証失敗の表示画面の一例である。
【００４８】
図９は翳されたICカードから周辺機器が取得した情報よりユーザ毎のパスワード有効期限が期限切れに近い時に表示される一例である。ICカード内にユーザ毎のIDとパスワードとが保持されているカードと、上記情報以外にパスワードの有効期限情報を保持されているカードとがある。それぞれのカードにおいてもユーザ毎のパスワード有効期限を周辺機器は取得してユーザ毎に対してパスワード有効期限切れが近い場合は通知を行う方法となる。ここでは周辺機器のオペレーションパネルの表示例のみを例としているが、通知方法はこれだけには限らない。例えば、メール通知やオペレーションパネルに通知したり、周辺機器が保持するログに残したりすることが挙げられる。
【実施例２】
【００４９】
次に、本発明の一実施例にかかるICカード認証動作を、図１０を参照して説明する。
図１０は本発明のパスワード有効期限通知システムの一実施例にかかる認証情報取得動作のフローチャートの一例である。
ICカードで認証する設定がされている場合、システムが起動後、認証要求画面を表示する(ステップS1)。
ユーザは自分のICカードをカードリーダへセットする(ステップS2)。
ICカードがセットされたことを検出しICカード内のユーザ毎の情報を取得する(ステップS3)。
ICカード内のユーザ毎の情報はカードに書き込まれている情報によりユーザのIDとパスワードなどの認証に必要な情報のみか、パスワードの有効期限情報まで保持してこともある。ICカードから設定されている認証情報から、機器またはユーザ情報を保持している機器からパスワード有効期限の情報の取得動作を行う(ステップS4)。
【００５０】
ここでは、ステップS3とステップS4とで取得した有効期限のどちらが現在の日時に近いかの判定を行う(ステップS5、S6)。ただし、ICカード内にパスワード有効期限情報が保持されていない時は、ICカードから取得したパスワードが近くないと判定する（ステップS11）。
ICカードから取得したパスワード有効期限情報が近いばあいは、その有効期限情報が期限切れ間近か否かの判定を行う（ステップS7、S8）。
有効期限切れが間近かの場合は、ユーザに対してパスワードの変更を促す通知を行う（ステップS9）。
ユーザに通知後は認証要求画面(図７または図８参照。)を表示して認証要求を行う(ステップS10)。
また、間近ではない場合は認証要求画面(図７または図８参照。)を表示し認証要求を行う(ステップS10)。
ICカードが保持しているパスワード情報が現在の日時に近くない場合は、周辺機器及びパスワード有効期限情報を保持する機器から取得したパスワード有効期限情報が期限切れ間近か否かの判定を行う(ステップS11、S12)。
有効期限切れが間近の場合は、ユーザに対してパスワードの変更を促す通知を行う（ステップS13）。
ユーザに通知後は認証要求画面(図７または図８参照。)を表示し認証要求を行う(ステップS10)。また、間近ではない場合は認証要求画面(図７または図８参照。)を表示し認証要求を行う(ステップS10)。
【００５１】
〔効  果〕
・ICカードからの認証情報の取得を行いユーザ毎のパスワード有効期限切れの通知を行うことで、ICカードによる認証機能を有する複合機に代表される周辺機器を利用する際に、パスワード有効期限切れによる機器の使用できない状態を事前に回避することができ、円滑な機器運用を可能とする。
【００５２】
・また、クライアントPC上で動作するプログラムから周辺機器を利用する際にも、同様にパスワード有効期限切れの通知を行うことで、機器へのアクセスができない状態を事前に回避することで円滑な機器運用を可能とする。
【００５３】
・ICカードカードを保持するユーザIDに対してのユーザ認証を行う為のパスワードを保持する周辺機器および周辺機器が通信を行うサーバが保持するパスワードの有効期限情報のみを周辺機器が通信を行うのでパスワードデータが通信路を流れることなくパスワード情報の漏洩がない。
【００５４】
・ICカードから取得したパスワード有効期限情報を含んだユーザ情報を周辺機器が保持して、パスワード有効期限情報を周辺機器が判断するため、ユーザ認証を行う為のサーバに対して通信を行わない場合にも運用を可能とする。
【００５５】
・ICカードと通信を行う周辺機器が取得したユーザ毎のパスワード有効期限情報を周辺機器が保持している時刻情報とを照合することにより、有効期限を照合するための機器を運用する必要もなく、周辺機器が有効期限に対する問い合わせを別機器に対して行う必要がなくなる。
【００５６】
・ICカードから取得したユーザ情報及びパスワード有効期限情報を保持する周辺機器がパスワード有効期限に近いユーザに対して通知を行うことにより、ユーザ情報及びパスワード有効期限情報を保持するサーバがユーザ毎にパスワード有効期限であることを通知する必要がなく、また通知のためのサーバを運用する必要がなくなる。
【図面の簡単な説明】
【００５７】
【図１】本発明のパスワード有効期限通知システムの一実施例にかかる画像形成装置のネットワークシステム構成図である。
【図２】画像形成装置のハードウェア構成の一例を示すブロック図である。
【図３】本発明のパスワード有効期限通知システムの一実施例にかかる画像形成装置のソフトウェア構成図の一例である。
【図４】認証サービスモジュールに着目したソフトウェアモジュール構成図の一例である。
【図５】画像形成装置の画面表示部及び操作部（オペレーションパネル）の一例である。
【図６】認証完了後のコピーアプリケーションの画面表示の一例である。
【図７】認証失敗の表示画面の一例である。
【図８】ICカードからの認証のみ有効な設定時の認証要求画面の表示例である。
【図９】翳されたICカードから周辺機器が取得した情報よりユーザ毎のパスワード有効期限が期限切れに近い時に表示される一例である。
【図１０】本発明のパスワード有効期限通知システムの一実施例にかかる認証情報取得動作のフローチャートの一例である。
【符号の説明】
【００５８】
１００    画像形成装置
１０１、１０５    ＩＣカードＲ／Ｗ
１０２、１０６    ＩＣカード
１０３    外部認証サーバ
１０４    クライアントＰＣ
【図１】
0005083812.tif 000002
【図２】
0005083812.tif 000003
【図３】
0005083812.tif 000004
【図４】
0005083812.tif 000005
【図５】
0005083812.tif 000006
【図６】
0005083812.tif 000007
【図７】
0005083812.tif 000008
【図８】
0005083812.tif 000009
【図９】
0005083812.tif 000010
【図１０】
0005083812.tif 000011